(57)【要約】      （修正有）【課題】折れたり、磨耗したりで小片化したクレヨンでもしっかりと保持できるクレヨン入れを提供する。【解決手段】クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体裏面に形成され本体部の前記第１凹条部の各凹条に対向する複数の凹条を有する第２凹条部とで構成される。【選択図】図３
0003156593.tif 000002
【実用新案登録請求の範囲】
【請求項１】
クレヨン散逸防止機構を具えたクレヨン入れであって、クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体裏面に形成され本体部の前記第１凹条部の各凹条に対向する複数の凹条を有する第２凹条部とで構成して、折れたり、磨耗したりで小片化したクレヨンでもしっかりと保持できるようにしたことを特徴とするクレヨン入れ。
【請求項２】
クレヨン散逸防止機構を具えたクレヨン入れであって、クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体裏面に設けられ、前記第１凹条部の各凹条の各クレヨンを弾性的に押圧する弾性押さえ部とで構成して、折れたり、磨耗したりで小片化したクレヨンでもしっかりと保持できるようにしたことを特徴とするクレヨン入れ。
【請求項３】
クレヨン散逸防止機構を具えたクレヨン入れであって、クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体を本体部に被せたとき、前記第１凹条部の各凹条の各クレヨンに当接して各クレヨンを固定保持する蓋体裏面とで構成して、折れたり磨耗したりで小片化したクレヨンでもしっかりと保持できるようにしたことを特徴とするクレヨン入れ。
【請求項４】
クレヨン散逸防止機構を具えたクレヨン入れであって、クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体裏面に形成され本体部の前記第１凹条部の各凹条に対向する複数の突条を有する押さえ部とで構成して、折れたり、磨耗したりで小片化したクレヨンでもしっかりと保持できるようにしたことを特徴とするクレヨン入れ。
【請求項５】
請求項１ないし４いずれか記載のクレヨン入れにおいて、本体部、蓋体はプラスチックで形成するとともに、蓋体を本体部に固定する係止部を形成し、この係止部は本体部の外側に形成される突起と蓋体の側面の端部に形成され前記突起に弾性的にはまり合う切り欠き部とで構成し、この切り欠き部は、前記突起に開口部を介して嵌まりあう第１切り欠きとこの第１切り欠きの周囲に形成される第２切り欠きとを具えてワンタッチで蓋体を本体部に固定できるようにする一方、折れたり、磨耗したりで小片化したクレヨンでもしっかりと保持できるようにしたことを特徴とするクレヨン入れ。
【考案の詳細な説明】
【技術分野】
【０００１】
本願考案は折れたり、磨耗したりで小片化したクレヨンでもしっかりと保持できるクレヨン入れに関するものである。
【背景技術】
【０００２】
従来、クレヨンを収納する容器は、複数本のクレヨンを並べ入れるトレー状の容器本体の開放された上面に蓋体を開閉可能に被せ付けたものであり、幼児が開け閉めし易いように錠前機構などが無い簡易な構造となっている。また、幼児が容器を持って遊ぶなどしているときに誤って蓋体が外れてクレヨンが散逸する場合もあるため、容器に伸縮性のあるバンドを巻いて蓋体が外れないようにし、使用時には容器からそのバンドを取り外してから蓋体を外すことができるようにしたものや、容器本体の下面側から蓋体に伸縮性のあるゴム紐を巻き回して、巻き回しで緊張したゴム紐で蓋体を容器本体に止め付け、使用時には蓋体に掛かっているゴム紐を容器本体の下面に回して蓋体から外すことで、その蓋体を容器本体から取り外すことができるようにしたものなどがあった。
【０００３】
一方、幼児などにとっても特別な操作が不要であり、収納したクレヨンを内部でしっかりと保持できるクレヨン入れはこれまでのところ開示された例がない。
【０００４】
なお、本願考案と関連する技術が次の文献において開示されている。
【特許文献１】実開昭５７−０４５３２６号公報
【特許文献２】実開昭６２−０１５２２８号公報
【特許文献３】特開２００９−３９４１７号公報
【考案の開示】
【考案が解決しようとする課題】
【０００５】
しかしながら、上述したバンドを巻いて蓋体の外れを防止するようにしたものでは、幼児がお絵描き遊びなどをする内にバンドそのものを紛失してしまう可能性がある。その点、後者のゴム紐を容器本体の下面から蓋体に亘って巻き回すものでは、ゴム紐の紛失を防止できる有利な面がある。しかしながら、上記ゴム紐の端部それぞれを容器本体に止めるため、ゴム紐の端部にカシメた止め金具を容器本体の下面に開口した孔に下から通して係止させるようにしており、仮に止め金具がゴム紐の端部から外れた場合、この止め金具を幼児が誤って飲み込んでしまう危惧を無くすことができない。
また、ゴム紐の端部から外れた止め金具を再びそのゴム紐に取り付けようとしても、カシメで潰された金属部分を再度開くことは幼児の保護者などの大人であっても非常に困難である。
【０００６】
他方、クレヨンを容器内でしっかり保持することは重要である。  このことは、従来からなおざりにされがちで、特許文献ばかりか市場製品にも適切な先行例は見当たらない。  クレヨンを容器内でしっかりと保持固定することは、クレヨンの破損を防止するうえでも、また、折れたり、使用により磨耗して小片化したクレヨンのさらなる破損を防止する上でも重要であり、また、クレヨンの容器内でのしっかりとした保持固定は、幼児でも簡単にできることが実用上なにより重要である。
【０００７】
従来のクレヨン入れは、蓋の固定に難があって操作性が悪く、特に幼児などにはひとりで開閉すること難しかった。  また、クレヨン入れの中で、うまくクレヨンが押さえられていないため、がたがた転動し、クレヨンの破損を招いたり、折れたり、使用により磨耗して小片化したクレヨンのさらなる破損が避けられなかった。
【課題を解決するための手段】
【０００８】
本願考案は、クレヨン散逸防止機構を具えたクレヨン入れであって、クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体裏面に形成され本体部の前記第１凹条部の各凹条に対向する複数の凹条を有する第２凹条部とで構成して、折れたり、磨耗したりで小片化したクレヨンでもしっかりと保持できるようにしたクレヨン入れを提供して、上記従来の課題を解決しようとするものである。
【０００９】
また、本願考案は、クレヨン散逸防止機構を具えたクレヨン入れであって、クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体裏面に設けられ、前記第１凹条部の各凹条の各クレヨンを弾性的に押圧する弾性押さえ部とで構成して、折れたり、磨耗したりで小片化したクレヨンでもしっかりと保持できるようにしたクレヨン入れを提供する。
【００１０】
さらに、本願考案はクレヨン散逸防止機構を具えたクレヨン入れであって、クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体を本体部に被せたとき、前記第１凹条部の各凹条の各クレヨンに当接して各クレヨンを固定保持する蓋体裏面とで構成して、折れたり磨耗したりで小片化したクレヨンでもしっかりと保持できるようにしたクレヨン入れを提供する。
【００１１】
さらにまた、本願考案はクレヨン散逸防止機構を具えたクレヨン入れであって、クレヨンを１本ずつ個別に並列収納する本体部と、この本体部に開閉して本体部を覆う蓋体と、収納されたクレヨンの散逸防止機構とを具え、前記クレヨンの散逸防止機構は、本体部に形成されクレヨンを１本ずつ個別に収納する複数の凹条を有する第１凹条部と、蓋体裏面に形成され本体部の前記第１凹条部の各凹条に対向する複数の突条を有する押さえ部とで構成して、折れたり、磨耗したりで小片化したクレヨンでもしっかりと保持できるようにしたクレヨン入れを提供する。
【００１２】
そして、段落０００６ないし０００９いずれかのクレヨン入れにおいて、本体部、蓋体は軟質プラスチックで形成するとともに、蓋体を本体部に固定する係止部を形成し、この係止部は本体部の外側に形成される突起と蓋体の側面の端部に形成され前記突起に弾性的にはまり合う切り欠き部とで構成し、この切り欠き部は、前記突起に開口部を介して嵌まりあう第１切り欠きとこの第１切り欠きの周囲に形成される第２切り欠きとを具えてワンタッチで蓋体を本体部に固定できるようする一方、折れたり、磨耗したりで小片化したクレヨンでもしっかりと保持できるように構成することがある。
【考案の効果】
【００１３】
本願考案は、軽量であり、かつ簡潔な構造からなり取り扱いやすく、クレヨンが容器内でしっかりと固定保持されるのでクレヨンが破損しにくいうえ、折れたり、磨耗したりで小片化したクレヨンでもしっかりと保持できるから、容器内に収納しての移動、運搬により、さらなる折損を招来することもない。さらに、蓋の開放、固定もワンタッチで幼児らが簡単になすことができる。  すなわち、蓋を開けてクレヨンの取り出し、クレヨンを容器にしまって蓋を固定するなどの作業も幼児らも自ら容易にできる。
【考案を実施するための最良の形態】
【００１４】
クレヨン入れは、本体部、蓋体ともにプラスチック材で形成することが望ましい。  これは、紙製にくらべてリサイクルに適し、結果として環境に優しいからである。
【００１５】
また、クレヨン入れ、特に蓋体は、透明プラスチック材で形成すれば、容器に蓋をした場合に、クレヨンの内容、すなわちクレヨンの欠損の有無、紛失が一目で確認でき、所定の対応措置を敏速にとることができる。  
【実施例】
【００１６】
次に、図面により本願考案の実施例を説明する。  
図１は、本願に係るクレヨン入れの第１実施例に係る本体部を示す斜視図である。
図において、１はクレヨンを１本ずつ個別に並列収納する本体部であり、上部開口の直方体形状をなしており、内部には短手方向にクレヨンＣを１本ずつ個別に収納する凹条２が複数形成されて、この複数の凹条２により第１凹条部３が構成されている。
【００１７】
図２は、前記本体部１に着脱自在に嵌合する蓋体の第１実施例を示す斜視図である。
図において、４は前記本体部１の開口面に嵌合する蓋体であり、その底部全面には、短手方向に本体部１の前記凹条２にそれぞれ対向するように複数の凹条５、５．．形成されていて、この複数の凹条５，５．．．により第２凹条部６が構成されている。
【００１８】
図３は、この第１実施例に係るクレヨン入れＡの一部切欠断面図である。  このクレヨン入れＡは、前記本体部１とこれに嵌合する蓋体４を具えている。図示のように、本体部１の第１凹条部３と蓋体４の第２凹条部６とが対向することにより、複数の凹条２，２．．と複数の凹条５，５．．．とにより複数の筒部が形成され、この筒部に前記クレヨンＣが保持固定される。  すなわち、本体部１の各凹条２にクレヨンＣを収納してさらに蓋体４をかぶせると、凹条５はクレヨンＣに当接しつつ凹条２とともに前記筒部を形成する。  このようにして、蓋体４を本体部１にかぶせるだけでクレヨンＣは筒部に抱持。固定されることになる。  この実施例において、第１凹条部３と第２凹条部６とによりクレヨンの散逸防止機構が構成されている。  なお、当該実施例では、クレヨン入れＡはプラスチック材で形成されている。
【００１９】
図４、５に基づいて本願考案の第２実施例を説明する。
図４は、本願考案に係るクレヨン入れの当該実施例に係る蓋体の一部切欠断面図である。
図４において、蓋体４はその裏面に弾性押さえ部４aを具えている。  この実施例では、弾性押さえ部４aは合成樹脂又はゴムのスポンジ材で形成されている。
図５は前記蓋体４を本体部１に嵌合した状態のクレヨン入れＡの一部切欠断面図である。  この実施例において、本体部１は図１に示した前記本体部１と同様の構成を有していて短手方向にクレヨンＣを１本ずつ個別に収納する凹条２が複数形成されて、この複数の凹条２により第１凹条部３が構成されている。
【００２０】
図示のように、蓋体４を本体部1にかぶせると、第１凹条部３は蓋体４の弾性押さえ部４aに被覆され、第１凹条部３の各凹条２は閉塞される。  したがって、各凹条２にクレヨンＣが収納されている場合、各クレヨンＣは弾性押さえ部４aにより押圧されて保持・固定されることになる。この実施例において、第１凹条部３と弾性押さえ部４aとによりクレヨンの散逸防止機構が構成されている。なお、当該実施例では、クレヨン入れＡはプラスチック材で形成されている。
【００２１】
図６、７に基づいて本願考案の第３実施例を説明する。
図６は、本願考案に係るクレヨン入れの当該実施例に係る蓋体の一部切欠断面図である。
図６において、蓋体４はその裏面が後述のように本体部１に収納された各クレヨンに当接するように形成されている。この実施例では、蓋体４の裏面に張設されるものはないが、クレヨンとの当接の緩衝材として薄手のポリスチレンシートなどを帖付してもよい。
【００２２】
図７は、前記蓋体４を本体部１に嵌合した状態のクレヨン入れＡの一部切欠断面図である。  この実施例において、本体部１は図１に示した前記本体部１と同様の構成を有していて短手方向にクレヨンＣを１本ずつ個別に収納する凹条２が複数形成されて、この複数の凹条２により第１凹条部３が構成されている。
【００２３】
図示のように、蓋体４を本体部1にかぶせると、第１凹条部３の各凹条２に収納されたクレヨンに蓋体４の裏面が当接する。したがって、各凹条２にクレヨンＣが収納されている場合、各クレヨンＣは蓋体裏面に接触して保持・固定されることになる。この実施例において、第１凹条部３と蓋体４の裏面とによりクレヨンの散逸防止機構が構成されている。
なお、当該実施例では、クレヨン入れＡはプラスチック材で形成されている。
【００２４】
図８，９に基づいて本願考案の第４実施例を説明する。
図８は、本願考案に係るクレヨン入れの当該実施例に係る蓋体４の裏面を示す斜視図である。
図８において、蓋体４の裏面にはその短手方向に複数の突条４ｂ、４ｂ..が形成されていて、この複数の突条４ｂにより押さえ部４１が構成されている。  前記各突条４ｂは後述のように本体部１に収納されたクレヨンに対向してこれに当接できるように形成されている。
【００２５】
図９は前記蓋体４を本体部１に嵌合した状態のクレヨン入れＡの一部切欠断面図である。  この実施例において、本体部１は図１に示した前記本体部１と同様の構成を有していて短手方向にクレヨンＣを１本ずつ個別に収納する凹条２が複数形成されて、この複数の凹条２により第１凹条部３が構成されている。
【００２６】
図示のように、蓋体４を本体部1にかぶせると、第１凹条部３の各凹条２に収納されたクレヨンのほぼ中心線に蓋体４の裏面に設けられた前記各突条４ｂが当接するようになっている。したがって、各凹条２にクレヨンＣが収納されている場合、各クレヨンＣは蓋体４裏面の各突条４ｂに接触して保持・固定されることになる。この実施例において、第１凹条部３と蓋体４の裏面の押さえ部４１とによりクレヨンの散逸防止機構が構成されている。なお、当該実施例では、クレヨン入れＡはプラスチック材で形成されている。
【００２７】
図１０、１１に基づいて、本願考案の第５実施例を説明する。
図１０は、本体部１と蓋体４とが係止部の機能により弾性的に結合した状態を示す一部切欠斜視図である。  図において、本体部１に蓋体４が嵌合していて、両者は係止部１０により固定されている。  この実施例に係るクレヨン入れＡには両側面に２箇所ずつ計６個の係止部１０が設けられている。
【００２８】
図１１は、図１０に示した係止部１０の詳細を示す一部切欠正面図である。図において１０aはクレヨン入れＡの本体部１の側壁部分に設けられた突起、１０ｂは蓋体４の側壁下端に形成され前記突起１０ｂが係合する第１切り欠き、１０ｃは前記第１切り欠き１０ｂの周囲に形成される第２切り欠きである。
【００２９】
本体部１の側壁部分に貫通形成された前記第１切り欠き１０ｂは、円形部１０ｂ１とこれに続く台形状の開口部１０ｂ２を有し、全体としていわゆる鍵穴形状をなしている。
また、第２切り欠き１０ｃは、前記円形部１０ｂ１を囲むように形成された円弧状の貫通溝で構成されている。
【００３０】
図１１において、蓋体４を下降させると本体部１の前記突起１０aは、第１切り欠き１０ｂの開口部１０ｂ２に導かれ、開口部１０ｂ２の最狭部にいたりこれを徐々に押し広げて終には、前記円形部１０ｂ１に嵌まり合う。以上の過程で、円弧状の貫通溝で構成された前記第２切り欠き１０ｃの存在は第１切り欠き１０ｂに弾性、可撓性を付与して前記突起１０aと第１切り欠き１０ｂとの着脱を容易にし、幼児の操作でも蓋体と本体部の着脱を簡単に行うことができる。
【図面の簡単な説明】
【００３１】
【図１】本願に係るクレヨン入れの第１実施例に係る本体部を示す斜視図である。
【図２】前記本体部に着脱自在に嵌合する蓋体の第１実施例を示す斜視図である。
【図３】第１実施例に係るクレヨン入れＡの一部切欠断面図である。
【図４】クレヨン入れの第２実施例に係る蓋体の一部切欠断面図である。
【図５】図４の蓋体を本体部に嵌合した状態のクレヨン入れＡの一部切欠断面図である。
【図６】本願考案に係るクレヨン入れの第３実施例に係る蓋体の一部切欠断面図である。
【図７】図６の蓋体を本体部に嵌合した状態のクレヨン入れＡの一部切欠断面図である。
【図８】本願考案に係るクレヨン入れの第４実施例に係る蓋体の裏面を示す斜視図である。
【図９】第４実施例に係る蓋体を本体部に嵌合した状態のクレヨン入れＡの一部切欠断面図である。
【図１０】第５実施例に係るクレヨン入れにおいて、本体部と蓋体とが係止部の機能により弾性的に結合した状態を示す一部切欠斜視図である。
【図１１】図１０に示した係止部１０の詳細を示す一部切欠正面図である。
【符号の説明】
【００３２】
Ｃ．．．．．．．クレヨン入れ
１．．．．．．．本体部
２．．．．．．．凹条
３．．．．．．．第１凹条部
４．．．．．．．蓋体
４ａ．．．．．．弾性押さえ部
４ｂ．．．．．．突条
５．．．．．．．凹条
６．．．．．．．第２凹条部
４１．．．．．．押さえ部
１０a．．．．．クレヨン入れＡの本体部１の側壁部分に設けられた突起
１０ｂ．．．．．第１切り欠き
１０ｂ１．．．．円形部
１０ｂ２．．．．台形状の開口部
１０ｃ．．．．．第２切り欠き
【図１】
0003156593.tif 000003
【図２】
0003156593.tif 000004
【図３】
0003156593.tif 000005
【図４】
0003156593.tif 000006
【図５】
0003156593.tif 000007
【図６】
0003156593.tif 000008
【図７】
0003156593.tif 000009
【図８】
0003156593.tif 000010
【図９】
0003156593.tif 000011
【図１０】
0003156593.tif 000012
【図１１】
0003156593.tif 000013